(57)【要約】【課題】現像電源部の駆動に伴う一次帯電電源部の出力電圧ずれによる画像濃度差を解消すること。【解決手段】感光面を有する感光手段と、導体の周りに抵抗体層が形成され、その抵抗体層が感光面に接している一次帯電手段と、感光面上に静電潜像を形成する光走査手段と、感光面に形成された静電潜像に応じた可視像を形成させる現像手段と、一次帯電手段に接続され、一次帯電手段に所定電圧を供給する一次帯電電源部と、現像手段の導体部に接続され、現像手段に所定電圧を供給する現像電源部とを備えた画像形成装置において、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値が変化しないように、出力電圧を制御する制御信号を変化させる。【選択図】図１
2008058915.tif 000002
【特許請求の範囲】
【請求項１】
円筒形の導体上に感光体層が形成された回転する感光面を有する感光手段と、
導体の周りに抵抗体層が形成され、その抵抗体層が、前記感光面に接している一次帯電手段と、
前記一次帯電手段により所定電位に帯電された前記感光面上を走査して感光面上に静電潜像を形成する光走査手段と、
前記感光面に向けて、回転する導体の表面に塗布された帯電した着色荷電粒子を飛翔させて、感光手段の感光面に形成された静電潜像に応じた可視像を形成させる現像手段と、
前記一次帯電手段に接続され、当該一次帯電手段に所定電圧を供給する一次帯電電源部と、
現像手段の導体部に接続され、当該現像手段に所定電圧を供給する現像電源部と
を備えた画像形成装置において、
画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させることを特徴とする画像形成装置。
【請求項２】
画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、あらかじめ決められた量を一度に変化させるのでなく、滑らかに変化させて、あるいは前記あらかじめ決められた量よりも少ない量の変化を複数回実行させて、当該変化の実行後に前記あらかじめ決められた量の変化をさせるようにすることを特徴とする請求項１に記載の画像形成装置。
【請求項３】
前記画像形成装置は、さらに
プロセス・カートリッジと、
プロセス・カートリッジを用いて印字を行った総時間または印字を行った総記録媒体数を計測する計測手段を備え、
画像形成装置が印字を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に前記計測手段の計測結果に応じて、前記制御信号を変化させる量が決定されることを特徴とする請求項１に記載の画像形成装置。
【請求項４】
前記画像形成装置は、さらに、
プロセス・カートリッジを用いて印字を行った総時間または印字を行った総記録媒体数を計測する計測手段と、
前記計測手段により計測された結果を表す情報を記憶するエリアを備えた不揮発性の情報記憶手段を備えたプロセス・カートリッジと
を備え、
画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、前記情報記憶手段に記憶された前記計測手段により計測された結果を表す情報に応じて、前記制御信号を変化させる量が決定されることを特徴とする請求項１に記載の画像形成装置。
【請求項５】
前記画像形成装置は、さらに
画像形成装置の使用環境温度を検出するための外気温検出手段
を備え、
画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、情報記憶手段に記憶された前記計測手段により計測された結果を表す情報に加えて外気温検出手段による外気温情報に応じて、前記制御信号を変化させる量が決定されることを特徴とする請求項４に記載の画像形成装置。
【請求項６】
円筒形の導体上に感光体層が形成された回転する感光面を有する感光手段と、導体の周りに抵抗体層が形成され、その抵抗体層が、前記感光面に接している一次帯電手段と、前記一次帯電手段により所定電位に帯電された前記感光面上を走査して感光面上に静電潜像を形成する光走査手段と、前記感光面に向けて、回転する導体の表面に塗布された帯電した着色荷電粒子を飛翔させて、感光手段の感光面に形成された静電潜像に応じた可視像を形成させる現像手段と、前記一次帯電手段に接続され、当該一次帯電手段に所定電圧を供給する一次帯電電源部と、現像手段の導体部に接続され、当該現像手段に所定電圧を供給する現像電源部とを備えた画像形成装置における高圧電源制御方法であって、
画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させることを特徴とする高圧電源制御方法。
【発明の詳細な説明】
【技術分野】
【０００１】
本発明は、画像形成装置およびその高圧電源の制御方法に関する。より詳細には、電子写真方式における一次帯電電源部への現像電源部からの影響を許容しながらも、その影響を打ち消すことが可能な画像形成装置およびその高圧電源制御方法に関する。
【背景技術】
【０００２】
図４は、電子写真方式の画像形成装置（複写機、プリンタ等）の主要部の構成を示す図である。同図において、符号１は電子写真プロセス・シーケンスの制御を行うコントローラでＣＰＵを備える。符号２は高圧電源部、符号３は感光体であるドラム、符号４は帯電部材であるローラ、符号５はレーザ光で走査を行うスキャナ、符号６はレーザ光の反射ミラー、符号７は現像器でトナー担体を持つ。符号８は転写帯電器、符号９はクリーナである。
【０００３】
図５は、図４に示した、帯電部材４と現像器７へ高圧電圧を供給する高圧電源部２の構成例を示す図である。転写帯電器とクリーナへ供給する高圧電源部は図示していない。高圧電源部２の各高圧電源は、高圧発生のための駆動信号としてのクロック信号と、高圧の直流電圧を制御するためのＰＷＭ信号を、コントローラから受ける。ここで、駆動クロック信号がコントローラから出力されているのは、高圧電源の出力のオン／オフを、コントローラから制御可能にするためである。また、電子写真方式の画像形成装置では複数の高圧電源が使用されているので、それらの出力電圧を簡単な方法で確実に制御するための信号として、パルス幅変調方式のＰＷＭ信号が、従来より使用されている（たとえば、特許文献１を参照）。
【０００４】
また、高圧電源として、直流高圧電圧に交流電圧を重畳することも行われている。この場合、帯電部材と現像器それぞれに印可する直流高電圧に重畳する交流電圧の周波数比が整数となるようにすることにより、周波数干渉に起因するモアレの発生や帯電騒音の発生をなくすことも行われている（たとえば、特許文献２参照）。
【０００５】
また、高圧電源のうち、直流高圧を生成する回路としては、その出力電圧が所定電圧となるようにフィードバック制御を行うのが通常である（たとえば、特許文献３参照）。これは、出力電圧を分圧した検出電圧を基準電圧と比較して、トランスを駆動する所定の周波数のクロック信号のオン時間を増減させることにより、実行される。ここで、画像の濃度調整を行う場合などには、この基準電圧を生成しているＰＷＭ信号を変化させることによって、一次帯電電源の直流高圧出力を変化させている。
【０００６】
また、電子写真方式の場合、形成画像の濃度を一定に保つために像担持体としての感光体の帯電電位、現像器に印加する現像バイアス電位、等を調整し、現像コントラスト電位やカブリ防止電位等の画像形成条件の制御を行うのが通常である。
【０００７】
また、一次帯電器、現像器等が一体となったプロセス・カートリッジをユーザーが交換できる形式の画像形成装置が一般的になり、これらに供給する高圧電圧に関する問題を解決する手法も、各種開示されている（たとえば、特許文献４）。
【０００８】
また、プロセス・カートリッジと高圧電源ユニットとの物理的配置に関しても、各種提案されている（たとえば、特許文献５参照）。
【０００９】
【特許文献１】特開平０６−３４８０８０号公報
【特許文献２】特開平０６−１９４９０８号公報
【特許文献３】特開２００４−１４４７８３号公報
【特許文献４】特開２００３−１７４７６７号公報
【特許文献５】特開２００５−０８４１６１号公報
【発明の開示】
【発明が解決しようとする課題】
【００１０】
上述したように従来から、プリント基板上の一次帯電電源部と現像電源部は、互いに関連するために、それらの回路それ自体は、互いの干渉を避けながらも、比較的近接した物理的配置のなるように構成されてきた。しかしながら、画像形成装置の小型化は、プリント基板上の一次帯電電源部、および現像電源部の小型化、さらにこれらの電源部を従来よりも近接してレイアウトすることを余儀なくさせた。このため、小型化した画像形成装置の印字動作において、一次帯電電源部が一次帯電手段を介して感光手段に電圧印加を行う際、現像電源部の出力する信号が、一次帯電電源部に影響を与える現象が発生した。これは、現像電源部による現像器の駆動そのものが、一次帯電電源部の出力電圧を所定電圧で安定出力させるための出力電圧フィードバックの信号ラインに影響を与えることによって生じている。これにより、一次帯電電源部の電圧制御が変更され、現像電源部が駆動していないときと駆動しているときとで、一次帯電電源部の出力電圧がずれてしまうという現象を生じさせる。その結果、現像電源部を駆動していない期間に帯電された（感光手段の）領域と、現像電源部が駆動している期間に帯電された領域との間で、所望しない濃度差が生じてしまうという現象を引き起こした。
【００１１】
図３は、従来方式を使用して小型化した画像形成装置における一次帯電電源部の出力電圧が、現像電源部のオン制御により変化する様子を示した図である。図において、現像電源部のオン／オフを制御する駆動クロック信号と、一次帯電電源部の基準電圧を切り換える（生成する）ＰＷＭ信号の時間変化を示している。この図では、現像出力のオフ／オンにかかわらず、一次帯電電圧を制御する基準電圧を生成するＰＷＭ信号を変化させない場合を示している。
【００１２】
この場合における一次帯電電源部の出力値のずれ量は、プリント基板上のレイアウトが同じで、図４に示す各構成と環境条件が同じ場合、ほぼ一定量となることが判っている。
【００１３】
本発明の目的は、上述したような構成の一次帯電電源部への現像電源部からの影響を許容しながらも、その影響を打ち消すように制御することで、安定した画像形成が可能な画像形成装置およびその高圧電源制御方法を提供することにある。
【課題を解決するための手段】
【００１４】
本発明はこのような目的を達成するために、請求項１に記載の発明は、円筒形の導体上に感光体層が形成された回転する感光面を有する感光手段と、導体の周りに抵抗体層が形成され、その抵抗体層が、前記感光面に接している一次帯電手段と、前記一次帯電手段により所定電位に帯電された前記感光面上を走査して感光面上に静電潜像を形成する光走査手段と、前記感光面に向けて、回転する導体の表面に塗布された帯電した着色荷電粒子を飛翔させて、感光手段の感光面に形成された静電潜像に応じた可視像を形成させる現像手段と、前記一次帯電手段に接続され、当該一次帯電手段に所定電圧を供給する一次帯電電源部と、現像手段の導体部に接続され、当該現像手段に所定電圧を供給する現像電源部とを備えた画像形成装置において、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させることを特徴とするものである。
【００１５】
また、請求項２に記載の発明は、請求項１に記載の画像形成装置であって、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、あらかじめ決められた量を一度に変化させるのでなく、滑らかに変化させて、あるいは前記あらかじめ決められた量よりも少ない量の変化を複数回に実行させて、当該変化の実行後に前記あらかじめ決められた量の変化をさせるようにすることを特徴とするものである。
【００１６】
また、請求項３に記載の発明は、請求項１に記載の画像形成装置であって、前記画像形成装置は、さらにプロセス・カートリッジと、プロセス・カートリッジを用いて印字を行った総時間または印字を行った総記録媒体数を計測する計測手段を備え、画像形成装置が印字を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に前記計測手段の計測結果に応じて、前記制御信号を変化させる量が決定されることを特徴とするものである。
【００１７】
また、請求項４に記載の発明は、請求項１に記載の画像形成装置であって、前記画像形成装置は、さらにプロセス・カートリッジを用いて印字を行った総時間または印字を行った総記録媒体数を計測する計測手段と、前記計測手段により計測された結果を表す情報を記憶するエリアを備えた不揮発性の情報記憶手段を備えたプロセス・カートリッジとを備え、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、前記情報記憶手段に記憶された前記計測手段により計測された結果を表す情報に応じて、前記制御信号を変化させる量が決定されることを特徴とするものである。
【００１８】
また、請求項５に記載の発明は、請求項４に記載の画像形成装置であって、前記画像形成装置は、さらに画像形成装置の使用環境温度を検出するための外気温検出手段を備え、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させる際に、情報記憶手段に記憶された前記計測手段により計測された結果を表す情報に加えて外気温検出手段による外気温情報に応じて、前記制御信号を変化させる量が決定されることを特徴とするものである。
【００１９】
請求項６に記載の発明は、円筒形の導体上に感光体層が形成された回転する感光面を有する感光手段と、導体の周りに抵抗体層が形成され、その抵抗体層が、前記感光面に接している一次帯電手段と、前記一次帯電手段により所定電位に帯電された前記感光面上を走査して感光面上に静電潜像を形成する光走査手段と、前記感光面に向けて、回転する導体の表面に塗布された帯電した着色荷電粒子を飛翔させて、感光手段の感光に形成された静電潜像に応じた可視像を形成させる現像手段と、前記一次帯電手段に接続され、当該一次帯電手段に所定電圧を供給する一次帯電電源部と、現像手段の導体部に接続され、当該現像手段に所定電圧を供給する現像電源部とを備えた画像形成装置における高圧電源制御方法であって、画像形成装置が印字動作を行う際、一次帯電電源部より一次帯電手段に対して電圧印加を開始してから現像電源部より現像手段に対して電圧印加を開始するまでの期間と、現像電源部より現像手段に対して電圧印加を開始した以降の期間とで、一次帯電電源部の出力電圧値を制御する制御信号を変化させることを特徴とする。
【発明の効果】
【００２０】
本発明によれば、画像形成装置の小型化、あるいはその高圧電源部の小型化に起因して、一次帯電手段に対する電圧印加が現像手段への高電圧駆動に起因して影響を受ける場合であっても、その影響を打ち消すことが可能になる。このためプリント基板上での一次帯電電源部と現像電源部とのレイアウト上での制約なども無くなり、プリント基板の小型化も可能となる。
【発明を実施するための最良の形態】
【００２１】
以下、図面を参照して本発明の実施形態について説明する。以下の説明では、画像形成装置の小型化、あるいはその高圧電源部の小型化に起因して、一次帯電手段に対する電圧印加が現像手段への高電圧駆動に起因して影響を受ける場合を前提に説明する。
【００２２】
（第１の実施形態）
図１は、本発明の第１の実施形態における、現像電源部のオン／オフを制御する現像クロック信号、一次帯電電源部における基準電圧を生成するＰＷＭ信号と、一次帯電電源部における出力電圧の時間的変化を示した図である。この図は、現像器への高圧供給（現像出力）をオンとすると同時に、一次帯電電源部における基準電圧を生成するＰＷＭ信号を変化させることを示している。一次帯電電源部における基準電圧を生成するＰＷＭ信号を変化させない場合、現像電源部が駆動していないときと駆動しているときとで一次帯電電源部の出力電圧がずれてしまうという現象が発生する。この場合、印字動作の中で現像電源部を駆動していない期間の画像領域と、現像電源部が駆動している期間の画像領域との間で濃度差が生じてしまうという問題が生じる。
【００２３】
しかし、上記の制御を行うことにより印字動作中における一次帯電電源部の出力電圧のズレを解消することができる。この場合、実際の画像形成装置においてこのようなズレを発生させる要因そのものは基本的には変化がなく一定なので、ある値の基準電圧に対してズレを打ち消すような打ち消し用基準電圧の値をあらかじめ設定することができる。たとえば、  
打ち消し用基準電圧＝ある値の基準電圧×（１＋α）  
あるいは、  
打ち消し用基準電圧＝ある値の基準電圧＋α  
とすることができる。この場合、コントローラから、現像電源部より現像手段に対して電圧印加を開始するまでの期間に、一次帯電電源部に対して、ある値の基準電圧を表すＰＷＭ信号を送っていたとする。現像電源部より現像手段に対して電圧印加を開始した以降の期間には、打ち消し用基準電圧として、「ある値の基準電圧（１＋α）」あるいは「ある値の基準電圧＋α」を表すＰＷＭ信号を一次帯電電源部に対して送ることになる。こうすることにより、一次帯電電源部は、現像電源部より現像手段に対して電圧印加を開始するまでの期間には、ある基準電圧に基づく高圧出力電圧を出力するように動作する。そして、現像電源部より現像手段に対して電圧印加を開始した以降の期間には、ある値の基準電圧（１＋α）あるいは「ある値の基準電圧＋α」に基づく高圧出力電圧を出力するように動作することになる。しかし、現像電源部より現像手段に対して電圧印加を開始した以降の期間では、一次帯電電源部の出力電圧は、現像電源部の高圧電圧出力の影響を受けて、結果としては、変化しないことになる。
【００２４】
この実施形態では、現像電源部への駆動クロック信号の供給と同時に帯電電源部への基準電圧を「ある基準電圧」から「ある値の基準電圧（１＋α）」に変更することになる。この場合、現像電源部の高圧電圧の立ち上がりや、一次帯電電源部の電圧制御のループ特性、ＰＷＭ値からアナログ電圧を生成するフィルタ部の特性等によっては、この実施形態で正常に動作するが、場合によっては後述する第２の実施形態を取る必要がある。
【００２５】
（第２の実施形態）
図２は、上述した第１の実施形態における欠点を改良した第２の実施形態を説明する図である。なお、上述した第１の実施形態で正常に動作する場合は、この第２の実施形態を適用する利点は殆どない。図２の上部に示す現像クロックと一次帯電ＰＷＭの信号図は、図１と同様な場合を示す図である。その下部の「一次帯電出力」は、第１の実施形態を適用した場合の一次帯電電源部の出力に一次的な変動を生ずる場合を示している。このような現象は、現像電源部の高圧電圧の立ち上がりや、一次帯電電源部の電圧制御のループ特性、ＰＷＭ値からアナログ電圧を生成するフィルタ部の特性等に起因して、生ずる場合と生じない場合（あるいは生じても無視可能なレベルである場合）がある。図２の下半分は、本実施形態における現像電源部のオン／オフを制御する現像クロック信号、一次帯電電源部へのＰＷＭ信号、一次帯電電源部の出力電圧、の時間的な変化を示した図である。
【００２６】
実施形態１に記述した制御方法を用いた場合、一次帯電電源部における出力電圧の変化量が非常に大きな場合には、急激に出力電圧を切り換えように動作する。このため、一般的には、切り換え直後の出力電圧が不安定になり、感光体部において帯電不良が発生、その結果スジ状もしくは帯状の画像不良が発生する場合がある。この場合における対策として、幾つかある。その１つは、図２に示すように、現像電源部より現像手段に対して電圧印加を開始した時点で、瞬時に設定された新たなＰＷＭ値に切り換えるのではなく、徐々にあるいは段階的にそれまでのＰＷＭ値から設定された新たなＰＷＭ値に変化させる制御を行う。この徐々に、あるいは段階的にＰＷＭ値に変化させる程度は、上述したように、現像電源部の高圧電圧の立ち上がりや、一次帯電電源部の電圧制御のループ特性、ＰＷＭ値からアナログ電圧を生成するフィルタ部の特性等によって変化する。また、図２に示すように、４段階で変化させる場合で、その最初の段階では、図２の示す第１の実施形態での一次帯電出力の過渡的な変化の量を、少なくとも１／４に減少させることになる。このような手法により、一次帯電電源へのＰＷＭ値の変更に起因する一次帯電電圧出力の変動を、無視可能な程度に減少させることができる。
【００２７】
上記の制御を行うことにより前述のような画像不良を発生させることなく実施形態１と同様な効果を得ることが可能となる。
【００２８】
（第３の実施形態）
画像形成装置の小型化、あるいはその高圧電源部の小型化に起因して、一次帯電手段に対する電圧印加が現像手段への高電圧駆動に起因して受ける影響の程度が、感光体の特性による影響を受ける場合がある。このような場合で、その影響が無視することができない場合、上記実施形態１および実施形態２に記述した制御では、無視できない差が出力に残ることになり、その結果、所望の効果が得られないことになる。たとえば、上述した実施形態１の説明におけるαの値が、感光体の特性によって変化する場合である。通常、感光体は、使用頻度に比例して表面の感光体層が消耗し、感光体の特性が変化する。このため、ある特性の場合におけるズレ量と、その後の変化した特性におけるズレ量とは異なることになり、αの値を固定値とした実施形態１および実施形態２に記載の制御を行っても、無視できない変化を一次帯電出力に生じさせる場合がある。この場合、所望の効果が得られないことになる。
【００２９】
本発明の第３の実施形態は、この対策を実行する。具体的には、画像形成装置にプロセス・カートリッジの総使用時間または印字を行った総記録媒体数を計測する計測手段を備え、この計測手段の計測結果に応じて、上述したαの値を変化させることを行う。実際には、実施形態１におけるαが、定数と、計測結果に比例する部分（あるいは反比例する部分）とから構成されることになる。このように制御することにより、一次帯電手段に対する電圧印加が現像手段への高電圧駆動に起因して受ける影響の程度が、感光体の特性による影響を受ける場合であっても、実施形態１および実施形態２と同様な効果を得ることが可能となる。
【００３０】
また、プロセス・カートリッジに不揮発性の情報記憶手段を備える場合、上記αに関連する値、感光手段の感度特性、および上記計測手段の情報を随時、この情報記憶手段に書き込むことが実行される。この場合に、上記αに関連する値で、定数や、計測手段結果に乗算される値なども書き込むことができる。この場合、複数の画像形成装置間でプロセス・カートリッジの交換が行われても、この情報記憶手段に書き込まれた情報を読み込んで、上述した実施形態１におけるα値を算出することができる。算出したα値を使用して、現像電源部より現像手段に対して電圧印加を開始するまでの期間に一次帯電電源部への出力するＰＷＭ値を決定することができる。このようなＰＷＭ信号を出力することにより、感光手段の特性に起因する影響を受ける場合であっても、感光手段に対して最適な電圧印加制御を行うことが可能となる。
【００３１】
（第４の実施形態）
上記実施形態１、実施形態２、実施形態３に記述した制御において、感光手段の感光体の特性が画像形成装置の使用環境温度によっても変化する場合がある。この使用環境温度による感光体の特性の変化が、上述したα値に大きく影響し、その結果一次帯電電圧の出力に無視できないズレを生じさせる場合は、その対策を取る必要がある。この対策として、画像形成装置に温度センサなどの使用環境温度を検出する手段を備え、上述したα値の決定にこの検出結果も使用することを実行する。このようにして求めたα値を使用することにより、上述したズレ量が、感光体の特性による影響を受け、さらにこの感光体の特性の使用環境温度による特性変化に応じたズレ量が無視できない場合にも対処することができる。この第４の実施形態により、上述した第１の実施形態、第２の実施形態、第３の実施形態で所望する結果が得られない場合であっても、同様な効果を得ることが可能となる。
【図面の簡単な説明】
【００３２】
【図１】本発明の第１の実施形態における現像電源部のオン／オフを制御する現像クロック信号、一次帯電電源部における基準電圧を生成するＰＷＭ信号と、一次帯電電源部における出力電圧の時間的変化を示した図である。
【図２】第１の実施形態における欠点を改良した第２の実施形態を説明する図である。
【図３】従来方式を使用して小型化した画像形成装置における、現像電源部のオン／オフを制御する駆動クロック信号と、一次帯電電源部の基準電圧を切り換える（生成する）ＰＷＭ信号の時間変化を示す図である。また、一次帯電電源部の出力電圧が、現像電源部のオン制御により変化する様子を示した図でもある。
【図４】本発明に関連する、電子写真方式の画像形成装置（複写機、プリンタ等）の主要部の構成を示す図である。
【図５】図４に示した、帯電部材４と現像器７へ高圧電圧を供給する高圧電源部２の構成例を示す図である。
【符号の説明】
【００３３】
１    コントローラ（ＣＰＵ）
２    高圧電源部
３    感光体
４    帯電部材（ローラ）
５    スキャナ
６    反射ミラー
７    現像器
８    転写帯電器
９    クリーナ
【図１】
2008058915.tif 000003
【図２】
2008058915.tif 000004
【図３】
2008058915.tif 000005
【図４】
2008058915.tif 000006
【図５】
2008058915.tif 000007